(57)【要約】【課題】返信の機能を含みつつ旧来の往復郵便レターカードにはなかった新しい機能を付加したレターカードを提供する。【解決手段】このレターカード１は、表裏がそれぞれレターカード表第１面ＦＡ、レターカード裏第１面ＢＡであり、レターカード裏第１面ＢＡには小レターカード部２が切り取り可能に形成されており、レターカード裏第１面ＢＡの一部の領域が小レターカード部２の小レターカード部裏面ＢＡａとなっており、小レターカード部２が切り取られたとき、レターカード裏第２面ＢＢが露出し、小レターカード部２が切り取られたとき、小レターカード部裏面ＢＡａの裏である小レターカード部表面ＢＡｂには、少なくとも切手を貼り付ける小レターカード部切手貼付枠２１及び郵便番号を書き込む小レターカード部郵便番号書込枠２２が印刷されている。【選択図】図１
2015013444.tif 000002
【特許請求の範囲】
【請求項１】
表裏がそれぞれレターカード表第１面、レターカード裏第１面であり、
該レターカード裏第１面には小レターカード部が切り取り可能に形成されており、前記レターカード裏第１面の一部の領域が前記小レターカード部の小レターカード部裏面となっており、
前記小レターカード部が切り取られたとき、レターカード裏第２面が露出し、
前記小レターカード部が切り取られたとき、前記小レターカード部裏面の裏である小レターカード部表面には、郵便物となることを表示する小レターカード部郵便物表示が印刷されていることを特徴とするレターカード。
【請求項２】
請求項１に記載のレターカードにおいて、
前記小レターカード部郵便物表示は、少なくとも、切手を貼り付ける小レターカード部切手貼付枠、郵便番号を書き込む小レターカード部郵便番号書込枠、及び、郵便物であることを表示する小レターカード部郵便物表示文字、のうちのいずれか１つであることを特徴とするレターカード。
【請求項３】
請求項１又は２に記載のレターカードにおいて、
前記レターカード表第１面には、郵便物であることを表示する第１レターカード郵便物表示が印刷されていることを特徴とするレターカード。
【請求項４】
請求項３に記載のレターカードにおいて、
前記第１レターカード郵便物表示は、少なくとも、切手を貼り付ける第１レターカード切手貼付枠、郵便番号を書き込む第１レターカード郵便番号書込枠、及び、郵便物であることを表示する第１レターカード郵便物表示文字、のうちのいずれか１つであることを特徴とするレターカード。
【請求項５】
請求項３又は４に記載のレターカードにおいて、
前記レターカード表第１面には、第１宛名伝言部が切り取り可能に形成されており、
該第１宛名伝言部が切り取られたとき、レターカード表第２面が露出し、
該レターカード表第２面には、郵便物であることを表示する第２レターカード郵便物表示が印刷されていることを特徴とするレターカード。
【請求項６】
請求項４に記載のレターカードにおいて、
前記レターカード表第１面には、第１宛名伝言部が切り取り可能に形成されており、
前記第１レターカード郵便物表示文字は、該第１宛名伝言部の外側に表示されており、
該第１宛名伝言部が切り取られたとき、レターカード表第２面が露出し、かつ、前記第１レターカード郵便物表示文字が残ることを特徴とするレターカード。
【請求項７】
請求項５に記載のレターカードにおいて、
前記レターカード表第２面には、第２宛名伝言部が切り取り可能に形成されており、
該第２宛名伝言部が切り取られたとき、レターカード表第３面が露出し、
該レターカード表第３面には、郵便物であることを表示する第３レターカード郵便物表示が印刷されていることを特徴とするレターカード。
【請求項８】
請求項１に記載のレターカードにおいて、
前記レターカード裏第２面には、パズルピースから構成される組合せパズルが設けられていることを特徴とするレターカード。
【請求項９】
請求項８に記載のレターカードにおいて、
前記パズルピースは正方形であることを特徴とするレターカード。
【請求項１０】
請求項１に記載のレターカードにおいて、
前記レターカード裏第２面には、１個又は複数個のしおりが設けられていることを特徴とするレターカード。
【発明の詳細な説明】
【技術分野】
【０００１】
本発明は、レターカードに関する。
【背景技術】
【０００２】
近年、レターカードは、種々の形状のものが提案されている。これらは、旧来の典型的な定形の郵便葉書にはなかった新しい機能を付加することで新しい趣向を付加して郵便事業を活性化するものである。例えば、特許文献１には、１乃至複数の指掛かり部を設けるとともに表面に切手貼付枠及び郵便番号書込枠を表示することで、競技の応援用或いは催し事の案内状として使用することができ、かつ、定型外のレターカードとして直に郵送できる簡易うちわが記載されている。また、特許文献２には、伝言をパズルピースによって秘匿することができるパズル兼用のレターカードが記載されている。
【先行技術文献】
【特許文献】
【０００３】
【特許文献１】実開平７−３６７２５号公報
【特許文献２】実用新案登録第３１７５９０３号公報
【発明の概要】
【発明が解決しようとする課題】
【０００４】
ところで、郵便を受けた人は、返信をする場合も少なくない。レターカードを、返信の機能を含みつつ旧来の往復郵便葉書にはなかった新しい機能を付加することは、新しい趣向を付加して郵便事業を活性化するので、好ましいことである。しかしながら、特許文献１及び２を含めこれまで提案されてきた種々の形状のレターカードは、返信の機能を含む新しい機能については余り考慮されていない。
【０００５】
本発明は、係る事由に鑑みてなされたものであり、その目的は、返信の機能を含みつつ旧来の往復郵便葉書にはなかった新しい機能を付加したレターカードを提供することにある。
【課題を解決するための手段】
【０００６】
上記目的を達成するために、請求項１に記載のレターカードは、表裏がそれぞれレターカード表第１面、レターカード裏第１面であり、該レターカード裏第１面には小レターカード部が切り取り可能に形成されており、前記レターカード裏第１面の一部の領域が前記小レターカード部の小レターカード部裏面となっており、前記小レターカード部が切り取られたとき、レターカード裏第２面が露出し、前記小レターカード部が切り取られたとき、前記小レターカード部裏面の裏である小レターカード部表面には、郵便物となることを表示する小レターカード部郵便物表示が印刷されていることを特徴とする。
【０００７】
請求項２に記載のレターカードは、請求項１に記載のレターカードにおいて、前記小レターカード部郵便物表示は、少なくとも、切手を貼り付ける小レターカード部切手貼付枠、郵便番号を書き込む小レターカード部郵便番号書込枠、及び、郵便物であることを表示する小レターカード部郵便物表示文字、のうちのいずれか１つであることを特徴とする。
【０００８】
請求項３に記載のレターカードは、請求項１又は２に記載のレターカードにおいて、前記レターカード表第１面には、郵便物であることを表示する第１レターカード郵便物表示が印刷されていることを特徴とする。
【０００９】
請求項４に記載のレターカードは、請求項３に記載のレターカードにおいて、前記第１レターカード郵便物表示は、少なくとも、切手を貼り付ける第１レターカード切手貼付枠、郵便番号を書き込む第１レターカード郵便番号書込枠、及び、郵便物であることを表示する第１レターカード郵便物表示文字、のうちのいずれか１つであることを特徴とする。
【００１０】
請求項５に記載のレターカードは、請求項３又は４に記載のレターカードにおいて、前記レターカード表第１面には、第１宛名伝言部が切り取り可能に形成されており、該第１宛名伝言部が切り取られたとき、レターカード表第２面が露出し、該レターカード表第２面には、郵便物であることを表示する第２レターカード郵便物表示が印刷されていることを特徴とする。
【００１１】
請求項６に記載のレターカードは、請求項４に記載のレターカードにおいて、前記レターカード表第１面には、第１宛名伝言部が切り取り可能に形成されており、前記第１レターカード郵便物表示文字は、該第１宛名伝言部の外側に表示されており、該第１宛名伝言部が切り取られたとき、レターカード表第２面が露出し、かつ、前記第１レターカード郵便物表示文字が残ることを特徴とする。
【００１２】
請求項７に記載のレターカードは、請求項５に記載のレターカードにおいて、前記レターカード表第２面には、第２宛名伝言部が切り取り可能に形成されており、該第２宛名伝言部が切り取られたとき、レターカード表第３面が露出し、該レターカード表第３面には、郵便物であることを表示する第３レターカード郵便物表示が印刷されていることを特徴とする。
【００１３】
請求項８に記載のレターカードは、請求項１に記載のレターカードにおいて、前記レターカード裏第２面には、パズルピースから構成される組合せパズルが設けられていることを特徴とする。
【００１４】
請求項９に記載のレターカードは、請求項８に記載のレターカードにおいて、前記パズルピースは正方形であることを特徴とする。
【００１５】
請求項１０に記載のレターカードは、請求項１に記載のレターカードにおいて、前記レターカード裏第２面には、１個又は複数個のしおりが設けられていることを特徴とする。
【発明の効果】
【００１６】
本発明のレターカードによれば、レターカード裏第１面に形成された小レターカード部を切り取って、状況等に応じた趣向の返信用のレターカードに使用することができ、しかも、返信レターカードに使用した残りの保管する部分には郵便を送った人の趣向を残すこともできる、という旧来の往復郵便葉書にはなかった新しい機能を付加したものとなる。
【図面の簡単な説明】
【００１７】
【図１】本発明の実施形態に係るレターカードを示すものであって、（ａ）がレターカード表第１面、（ｂ）がレターカード裏第１面を示す外観図である。
【図２】同上のレターカードの小レターカード部が切り取られて露出するレターカード裏第２面を示す外観図である。
【図３】同上のレターカードの切り取られた小レターカード部を示す外観図であって、（ａ）が小レターカード部裏面を示すもの、（ｂ）が小レターカード部表面を示すものである。
【図４】同上のレターカードの小レターカード部表面の実施形態変形例を示す外観図である。
【図５】同上のレターカードのレターカード表第１面の実施形態変形例を示す外観図である。
【図６】同上のレターカードの模式的な端面図であって、（ａ）が小レターカード部とその外側の周辺部分とがつながっているところ（Ａ−Ａ線）で切断したもの、（ｂ）が小レターカード部とその外側の周辺部分と分離しているところ（Ａ’−Ａ’線）で切断したものである。
【図７】同上のレターカードのレターカード裏第２面の実施形態変形例を示す外観図である。
【図８】同上のレターカードのレターカード裏第２面の別の実施形態変形例を示す外観図である。
【図９】同上のレターカードの表面側の実施形態変形例を示す外観図であって、（ａ）がレターカード表第１面を示すもの、（ｂ）が第１宛名伝言部が切り取られて露出するレターカード表第２面を示すものである。
【図１０】図９で示した実施形態変形例のレターカード表第２面の変形例を示すものである。
【図１１】図９で示した実施形態変形例のレターカード表第２面の更なる変形例を示すものである。
【図１２】図９で示した実施形態変形例の切り取られた第１宛名伝言部を示す外観図であって、（ａ）が第１宛名伝言部表面を示すもの、（ｂ）が第１宛名伝言部裏面を示すものである。
【図１３】同上のレターカードの表面側の別の実施形態変形例を示す外観図であって、（ａ）がレターカード表第２面を示すもの、（ｂ）が第２宛名伝言部が切り取られて露出するレターカード表第３面を示すものである。
【図１４】図１３で示した実施形態変形例のレターカード表第３面の変形例を示すものである。
【図１５】図１３で示した実施形態変形例のレターカード表第３面の更なる変形例を示すものである。
【図１６】図１３で示した実施形態変形例の切り取られた第２宛名伝言部を示す外観図であって、（ａ）が第２宛名伝言部表面を示すもの、（ｂ）が第２宛名伝言部裏面を示すものである。
【発明を実施するための形態】
【００１８】
以下、本発明を実施するための形態を説明する。本発明の実施形態に係るレターカード１は、図１に示すように、一般的な定形の郵便葉書のような長方形状とは限らず、所定の輪郭のものである。本実施形態では、円形状としている。また、レターカード１の大きさは、例えば、９ｃｍ〜２３．５ｃｍ程度とすることができる。
【００１９】
レターカード１は、図１（ｂ）に示すように、その裏面であるレターカード裏第１面ＢＡには小レターカード部２が切り取り可能に形成されている。レターカード裏第１面ＢＡの一部の領域が小レターカード部２の小レターカード部裏面ＢＡａとなっている。すなわち、レターカード裏第１面ＢＡは、小レターカード部裏面ＢＡａの部分を含めて平坦であり、小レターカード部２が切り取られたときには、小レターカード部裏面ＢＡａの外側の周辺部分１ｃのみとなる。なお、図１（ｂ）では、小レターカード部２をレターカード１から切り取る切り取り線を符号２ａで示している。また、符号２ｂは、小レターカード部２を指等で引っかけて指の力で容易に切り取ることができるように、小レターカード部２の側部の一部が露出するようにレターカード裏第１面ＢＡに形成された凹み部を示している。
【００２０】
レターカード裏第１面ＢＡには、絵柄が印刷されている。本実施形態では、兎の漫画絵としている。レターカード裏第１面ＢＡの絵柄は、その全部又は一部が小レターカード部裏面ＢＡａの領域に含まれる。本実施形態では、レターカード裏第１面ＢＡの絵柄の全部が小レターカード部裏面ＢＡａの領域に含まれている。なお、本願においては、絵柄は写真を含むものとしている。
【００２１】
小レターカード部２がレターカード１から切り取られたとき、図２に示すように、レターカード１のレターカード裏第２面ＢＢが露出する。レターカード裏第２面ＢＢには、レターカード裏第１面ＢＡに印刷されている絵柄に対応する（同じであることも含む。）絵柄が印刷されている。本実施形態では、レターカード裏第１面ＢＡの絵柄の兎よりも表情を変えた兎の漫画絵としている。なお、符号２ａ’は、小レターカード部２が切り取られた後にレターカード１の裏面の内側に形成される段差となった切り取り線２ａを示している。
【００２２】
また、小レターカード部２が、図３（ａ）に示すように切り取られたとき、その小レターカード部裏面ＢＡａの裏である小レターカード部表面ＢＡｂには、図３（ｂ）に示すように、切手を貼り付ける小レターカード部切手貼付枠２１及び郵便番号を書き込む小レターカード部郵便番号書込枠２２が印刷されている。小レターカード部切手貼付枠２１と小レターカード部郵便番号書込枠２２は、小レターカード部２が郵便物となることを表示する小レターカード部郵便物表示である。なお、この小レターカード部郵便物表示として、小レターカード部切手貼付枠２１及び小レターカード部郵便番号書込枠２２のいずれかを省略することも可能である。また、図４に示すように、‘ＰＯＳＴ  ＣＡＲＤ’という文字など郵便物であることを表示する小レターカード部郵便物表示文字２６を、小レターカード部切手貼付枠２１及び小レターカード部郵便番号書込枠２２に代えて、或いは併用して、小レターカード部郵便物表示として用いることも可能である。
【００２３】
小レターカード部切手貼付枠２１の中には、貼り付ける切手の所定の金額がいくらになるかを明記しておくのが好ましい。所定の金額は、図３（ｂ）に示したような形状のものについては、定形外の郵便レターカードの料金となる。また、重量によって料金がかわる。
【００２４】
小レターカード部表面ＢＡｂには、更に、宛名を書き込む小レターカード部宛名領域２３と伝言を書き込む小レターカード部伝言領域２４の境界とする小レターカード部宛名伝言境界線２５が印刷されている。ただし、この小レターカード部宛名伝言境界線２５は、必ずしも必須ではなく、小レターカード部宛名領域２３と小レターカード部伝言領域２４が区別できれば省略可能である。
【００２５】
小レターカード部２の輪郭は、様々な形状が可能である。本実施形態では、クローバ形状としている。
【００２６】
レターカード１は、図１（ａ）に示すように、その表面であるレターカード表第１面ＦＡには、切手を貼り付ける第１レターカード切手貼付枠１１及び郵便番号を書き込む第１レターカード郵便番号書込枠１２が印刷されている。第１レターカード切手貼付枠１１と第１レターカード郵便番号書込枠１２は、レターカード１が郵便物となることを表示する第１レターカード郵便物表示である。なお、この第１レターカード郵便物表示として、第１レターカード切手貼付枠１１及び第１レターカード郵便番号書込枠１２のいずれかを省略することも可能である。また、図５に示すように、‘ＰＯＳＴ  ＣＡＲＤ’という文字など郵便物であることを表示する第１レターカード郵便物表示文字１６を、第１レターカード切手貼付枠１１及び第１レターカード郵便番号書込枠１２に代えて、或いは併用して、第１レターカード郵便物表示として用いることも可能である。
【００２７】
第１レターカード切手貼付枠１１の中には、貼り付ける切手の所定の金額がいくらになるかを明記しておくのが好ましい。所定の金額は、図１に示したような形状のものについては、定形外の郵便レターカードの料金となる。
【００２８】
レターカード表第１面ＦＡには、更には宛名を書き込む第１レターカード宛名領域１３と伝言を書き込む第１レターカード伝言領域１４の境界とする第１レターカード宛名伝言境界線１５が印刷されている。ただし、この第１レターカード宛名伝言境界線１５は、必ずしも必須ではなく、第１レターカード宛名領域１３と第１レターカード伝言領域１４が区別できれば省略可能である。
【００２９】
レターカード１は、図６（ａ）及び（ｂ）に示すように、厚さ方向には、厚めの硬い紙１ａ、１ｂが積層された構造である。レターカード裏第１面ＢＡの側の紙１ｂに、小レターカード部２が形成され、小レターカード部２の輪郭を成す切り取り線２ａも形成されている。紙１ｂにおいて、小レターカード部２は所々がその外側の周辺部分１ｃとつながり（図６（ａ）参照）、所々が周辺部分１ｃから分離している（図６（ｂ）参照）。紙１ａと紙１ｂは、切り取り線２ａを含む小レターカード部２の領域では接着されておらず、周辺部分１ｃにおいて接着されている。なお、レターカード１の厚さは、例えば、０．３ｃｍ〜５ｃｍ程度とすることができる。
【００３０】
郵便を送る人は、状況や自分の気持ちなどに応じた趣向のレターカード１を選択する。例えば、入学などの祝い事のときに図１に示したような形状のレターカード１を選択する。そして、レターカード１の第１レターカード伝言領域１４に伝言などを書き、第１レターカード宛名領域１３に宛名を書き込み、第１レターカード郵便番号書込枠１２に郵便番号を書き込み、第１レターカード切手貼付枠１１に所定の金額の切手を貼り付けて、郵送する。
【００３１】
郵便を受けた人は、小レターカード部２を切り取って、返信用のレターカードとして使用することが可能である。このとき、小レターカード部２は、状況等に応じた趣向のものに自動的になる。また、小レターカード部２を切り取って返信用のレターカードに使用した残りの保管する部分についても、レターカード１の輪郭やレターカード裏第２面ＢＢの絵柄などにより、郵便を送った人の趣向がよく残る。なお、小レターカード部２を返信レターカードとしてではなく、他の人宛に利用することも勿論可能である。
【００３２】
このようなレターカード１は、以下に述べるように実施形態の変形が可能である。
【００３３】
レターカード１の輪郭形状は、円形状に限ることはなく、一般的な定形の郵便葉書と同じ長方形状は勿論、多角形状やハート形状など任意の形状を採用することができる。
【００３４】
また、レターカード裏第１面ＢＡの絵柄及びレターカード裏第２面ＢＢの絵柄が施されたレターカード１は、郵便を送る人の趣向を表し易いものであるが、省略することも場合によっては可能である。
【００３５】
また、レターカード裏第２面ＢＢに、パズルピース３１から構成される組合せパズル３を設けることも可能である。郵便を受けた人が、小レターカード部２を切り取ると、図７に示すような組み合わせパズル３が現れる。郵便を受けた人は、組合せパズル３で遊ぶことができるので、小レターカード部２を切り取って返信用のレターカード等に使用した残りの部分について、郵便を送った人の趣向が更に印象深く残り易い。なお、組合せパズル３の絵柄は、様々なものが可能である。
【００３６】
各パズルピース３１は、正方形が好ましい。各パズルピース３１を正方形にすると、簡単な絵柄の場合にパズル３が通常のものより難しくないようにできるので、小さい子供でも気軽に楽しめるようになり、その一方、複雑な絵柄の場合に上下左右も決めなければならないので、少ないパズルピース３１の数でありながら難しくすることができ、大人も十分に楽しめるようになる。また、各パズルピース３１を正方形にすると、完成の絵柄が見えやすくなる。また、飲み込み防止のために、パズルピース３１の各辺を３ｃｍ以上にするのが好ましい。
【００３７】
また、レターカード裏第２面ＢＢに、１個又は複数個のしおり４を設けることも可能である。しおり４は、郵便を受けた人が、小レターカード部２を切り取ると、図８に示すようなしおり４が現れる。郵便を受けた人は、しおり４を本等に挟んで用いることができるので、小レターカード部２を切り取って返信用のレターカード等に使用した残りの部分について、郵便を送った人の趣向が更に印象深く残り易い。なお、しおり４の絵柄は、様々なものが可能である。また、飲み込み防止のために、しおり４の短辺を３ｃｍ以上にするのが好ましい。
【００３８】
また、レターカード表第１面ＦＡに、図９（ａ）に示すように、第１宛名伝言部５を切り取り可能に形成することもできる。この場合、印刷された第１レターカード切手貼付枠１１、第１レターカード郵便番号書込枠１２、及び全部又は一部の第１レターカード宛名伝言境界線１５を含む領域が第１宛名伝言部５の第１宛名伝言部表面ＦＡａとなっている。なお、図９（ａ）では、第１宛名伝言部５をレターカード１から切り取る切り取り線を符号５ａで示している。
【００３９】
そして、第１宛名伝言部５が切り取られたとき、図９（ｂ）に示すように、レターカード表第２面ＦＢが露出する。レターカード表第２面ＦＢには、切手を貼り付ける第２レターカード切手貼付枠５１及び郵便番号を書き込む第２レターカード郵便番号書込枠５２が印刷されている。第２レターカード切手貼付枠５１と第２レターカード郵便番号書込枠５２は、第１宛名伝言部５が切り取られたときのレターカード１が新しい郵便物となることを表示する第２レターカード郵便物表示である。
【００４０】
なお、この第２レターカード郵便物表示として、第２レターカード切手貼付枠５１及び第２レターカード郵便番号書込枠５２のいずれかを省略することも可能である。また、図１０に示すように、‘ＰＯＳＴ  ＣＡＲＤ’という文字など郵便物であることを表示する第２レターカード郵便物表示文字５６を、第２レターカード切手貼付枠５１及び第２レターカード郵便番号書込枠５２に代えて、或いは併用して、第２レターカード郵便物表示として用いることも可能である。又は、図１１に示すように、前述した図５に示したような‘ＰＯＳＴ  ＣＡＲＤ’という文字など郵便物であることを表示する第１レターカード郵便物表示文字１６を第１宛名伝言部５の外側に表示しておいて、第１宛名伝言部５が切り取られたときに第１レターカード郵便物表示文字１６が残るようにしてもよい。
【００４１】
レターカード表第２面ＦＢには、更には宛名を書き込む第２レターカード宛名領域５３と伝言を書き込む第２レターカード伝言領域５４の境界とする第２レターカード宛名伝言境界線５５が印刷されている。ただし、この第２レターカード宛名伝言境界線５５は、必ずしも必須ではなく、第２レターカード宛名領域５３と第２レターカード伝言領域５４が区別できれば省略可能である。図９（ｂ）、図１０、図１１における符号５ａ’は、第１宛名伝言部５が切り取られた後に段差となった切り取り線５ａを示している。
【００４２】
このように切り取り可能な第１宛名伝言部５を形成すると、郵便を受け取った人は、第１宛名伝言部５を切り取ることで、レターカード１を返信用のレターカードとして使用することが可能である。第１宛名伝言部５を切り取ったレターカード１は、返信用のレターカードとしてではなく、他の人宛に利用することも勿論可能である。なお、レターカード裏第１面ＢＡの小レターカード部２は、切り取られていても切り取られていなくてもよい。また、切り取り可能な第１宛名伝言部５を形成すると、レターカード裏第１面ＢＡの小レターカード部２を形成しない実施形態も可能である。
【００４３】
そして、第１宛名伝言部５を切り取ったレターカード１が使用されると、第１宛名伝言部５を残して保管することになるが、第１宛名伝言部５を、図１２（ａ）に示すような第１宛名伝言部表面ＦＡａの裏である第１宛名伝言部裏面ＦＡｂに、図１２（ｂ）に示すように、レターカード裏第１面ＢＡに印刷されている絵柄に対応する絵柄（例えば、兎の漫画絵）が印刷されているようにすると、郵便を送った人の趣向がよく残る。
【００４４】
なお、第１宛名伝言部５は、小レターカード部２のように独立のレターカードとして使用されるものではないので、それを形成する紙は比較的薄くても構わない。第１宛名伝言部５の輪郭を成す切り取り線５ａは、小レターカード部２の輪郭を成す切り取り線２ａよりも細かい目、つまり、ミシン目のようにすることができる。
【００４５】
更には、図１３（ａ）に示すように、第１宛名伝言部５が切り取られたレターカード１のレターカード表第２面ＦＢに、第２宛名伝言部６を切り取り可能に形成することもできる。第２宛名伝言部６は、第１宛名伝言部５と同様のものである。すなわち、第２宛名伝言部６は、第２レターカード切手貼付枠５１、第２レターカード郵便番号書込枠５２、及び全部又は一部の前記第２レターカード宛名伝言境界線５５を含む領域が第２宛名伝言部６の第２宛名伝言部表面ＦＢａとなっている。なお、図１３（ａ）では、第２宛名伝言部６をレターカード１から切り取る切り取り線を符号６ａで示している。
【００４６】
そして、第２宛名伝言部６が切り取られたとき、図１３（ｂ）に示すように、レターカード表第３面ＦＣが露出する。レターカード表第３面ＦＣには、切手を貼り付ける第３レターカード切手貼付枠６１及び郵便番号を書き込む第３レターカード郵便番号書込枠６２が印刷されている。第３レターカード切手貼付枠６１と第３レターカード郵便番号書込枠６２は、第２宛名伝言部６が切り取られたときのレターカード１が新しい郵便物となることを表示する第３レターカード郵便物表示である。
【００４７】
なお、この第３レターカード郵便物表示として、第３レターカード切手貼付枠６１及び第３レターカード郵便番号書込枠６２のいずれかを省略することも可能である。また、図１４に示すように、‘ＰＯＳＴ  ＣＡＲＤ’という文字など郵便物であることを表示する第３レターカード郵便物表示文字６６を、第３レターカード切手貼付枠６１及び第３レターカード郵便番号書込枠６２に代えて、或いは併用して、第３レターカード郵便物表示として用いることも可能である。又は、図１５に示すように、図１１を用いて前述したレターカード表第２面ＦＢと同様に、第１レターカード郵便物表示文字１６を第２宛名伝言部６の外側に表示しておいて、第２宛名伝言部６が切り取られたときに第１レターカード郵便物表示文字１６が残るようにしてもよい。
【００４８】
レターカード表第３面ＦＣには、更には宛名を書き込む第３レターカード宛名領域６３と伝言を書き込む第３レターカード伝言領域６４の境界とする第３レターカード宛名伝言境界線６５が印刷されている。ただし、この第３レターカード宛名伝言境界線６５は、必ずしも必須ではなく、第３レターカード宛名領域６３と第３レターカード伝言領域６４が区別できれば省略可能である。図１３（ｂ）、図１４、図１５における符号６ａ’は、第２宛名伝言部６が切り取られた後に段差となった切り取り線６ａを示している。
【００４９】
また、図１６（ａ）に示すような第２宛名伝言部６は、第１宛名伝言部５の場合と同様に、その第２宛名伝言部表面ＦＢａの裏である第２宛名伝言部裏面ＦＢｂに、図１６（ｂ）に示すように、レターカード裏第１面ＢＡに印刷されている絵柄に対応する絵柄（例えば、兎の漫画絵）が印刷されているようにするのが好ましい。
【００５０】
また、第２宛名伝言部６と同様の第３宛名伝言部、第３宛名伝言部と同様の第４宛名伝言部というように、多くの宛名伝言部を積層することも可能である。
【００５１】
以上、本発明の実施形態に係るレターカードについて説明したが、本発明は、実施形態に記載したものに限られることなく、特許請求の範囲に記載した事項の範囲内でのさまざまな設計変更が可能である。例えば、レターカード表第１面ＦＡの第１レターカード切手貼付枠１１、第１レターカード郵便番号書込枠１２、第１レターカード郵便物表示文字１６などの第１レターカード郵便物表示、及び第１レターカード宛名伝言境界線１５は、通常は、あらかじめ印刷されたものであるが、これらについては、郵便を送る人が必要に応じて家庭内などのプリンタを用いて書き込むこともできるので、印刷されたものとしないことも場合によっては可能である。
【符号の説明】
【００５２】
１    レターカード
１１  第１レターカード切手貼付枠
１２  第１レターカード郵便番号書込枠
１３  第１レターカード宛名領域
１４  第１レターカード伝言領域
１５  第１レターカード宛名伝言境界線
１６  第１レターカード郵便物表示文字
２    小レターカード部
２１  小レターカード部切手貼付枠
２２  小レターカード部郵便番号書込枠
２３  小レターカード部宛名領域
２４  小レターカード部伝言領域
２５  小レターカード部宛名伝言境界線
２６  小レターカード部郵便物表示文字
３    組合せパズル
３１  パズルピース
４    しおり
５    第１宛名伝言部
５１  第２レターカード切手貼付枠
５２  第２レターカード郵便番号書込枠
５３  第２レターカード宛名領域
５４  第２レターカード伝言領域
５５  第２レターカード宛名伝言境界線
５６  第２レターカード郵便物表示文字
６    第２宛名伝言部
６１  第３レターカード切手貼付枠
６２  第３レターカード郵便番号書込枠
６３  第３レターカード宛名領域
６４  第３レターカード伝言領域
６５  第３レターカード宛名伝言境界線
６６  第３レターカード郵便物表示文字
ＢＡ  レターカード裏第１面
ＢＡａ  小レターカード部裏面
ＢＡｂ  小レターカード部表面
ＢＢ  レターカード裏第２面
ＦＡ  レターカード表第１面
ＦＡａ  第１宛名伝言部表面
ＦＡｂ  第１宛名伝言部裏面
ＦＢ  レターカード表第２面
ＦＢａ  第２宛名伝言部表面
ＦＢｂ  第２宛名伝言部裏面
ＦＣ  レターカード表第３面
【図１】
2015013444.tif 000003
【図２】
2015013444.tif 000004
【図３】
2015013444.tif 000005
【図４】
2015013444.tif 000006
【図５】
2015013444.tif 000007
【図６】
2015013444.tif 000008
【図７】
2015013444.tif 000009
【図８】
2015013444.tif 000010
【図９】
2015013444.tif 000011
【図１０】
2015013444.tif 000012
【図１１】
2015013444.tif 000013
【図１２】
2015013444.tif 000014
【図１３】
2015013444.tif 000015
【図１４】
2015013444.tif 000016
【図１５】
2015013444.tif 000017
【図１６】
2015013444.tif 000018